(57)【要約】【課題】  ＲＦＩＤタグを物品に取り付ける場合において、物品が導体であるか否かにかかわらず、良好な通信品質を確保できるようにする。【解決手段】  ＩＣチップ２とアンテナ部としてのループアンテナ３とを有するＲＦＩＤタグ１を物品１０に取り付ける場合に、ＲＦＩＤタグ１のループアンテナ３の少なくとも一部を物品１０からずらして又は離間させて装着する。とくに、物品１０が導体部分を有する場合には、前記導体部分の角部又は縁部にループアンテナ３を近接又は少なくとも一部がはみ出すように配置する。ループアンテナ３の内側には軟磁性体を配置する場合もある。【選択図】        図１
2006129003.tif 000002
【特許請求の範囲】
【請求項１】
ＲＦＩＤタグを物品に取り付ける場合に、前記ＲＦＩＤタグのアンテナ部の少なくとも一部を物品からずらして又は離間させて装着したことを特徴とするＲＦＩＤタグの取付方法。
【請求項２】
前記物品が導体部分を有し、前記導体部分の角部又は縁部に前記アンテナ部を近接又は少なくとも一部がはみ出すように配置した請求項１記載のＲＦＩＤタグの取付方法。
【請求項３】
前記ＲＦＩＤタグはアンテナ部としてループアンテナを有するものである請求項１又は２記載のＲＦＩＤタグの取付方法。
【請求項４】
前記ループアンテナの内側に軟磁性体が設けられている請求項３記載のＲＦＩＤタグの取付方法。
【請求項５】
ＲＦＩＤタグのアンテナ部の少なくとも一部を物品からずらした状態又は離間した状態で、前記ＲＦＩＤタグが前記物品に装着されていることを特徴とするＲＦＩＤタグの取付構造。
【請求項６】
前記物品が導体部分を有し、該導体部分の角部又は縁部に前記アンテナ部が近接又は少なくとも一部がはみ出すように配置されている請求項５記載のＲＦＩＤタグの取付構造。
【請求項７】
前記ＲＦＩＤタグはアンテナ部としてループアンテナを有するものである請求項５又は６記載のＲＦＩＤタグの取付構造。
【請求項８】
前記ループアンテナの内側に軟磁性体が設けられている請求項７記載のＲＦＩＤタグの取付構造。
【請求項９】
導体と該導体の外縁から少なくとも一部がはみ出すように形成されたループアンテナとを備え、前記ループアンテナは前記導体から絶縁されかつ前記導体の外縁に近接した部分を有することを特徴とするアンテナ構造体。
【請求項１０】
前記ループアンテナの内側に軟磁性体が設けられている請求項９記載のアンテナ構造体。
【請求項１１】
前記ＲＦＩＤタグはアンテナ部として請求項９又は１０のアンテナ構造体を有するものである請求項１又は２記載のＲＦＩＤタグの取付方法。
【請求項１２】
前記ＲＦＩＤタグはアンテナ部として請求項９又は１０のアンテナ構造体を有するものである請求項５又は６記載のＲＦＩＤタグの取付構造。
【請求項１３】
請求項９又は１０のアンテナ構造体をアンテナ部としたＲＦＩＤタグを備えるＲＦＩＤタグ付き装置。
【発明の詳細な説明】
【技術分野】
【０００１】
本発明は、ＲＦＩＤタグ（Radio Frequency Identification Tag）を用いた無線通信システムにおいて、物品に対するＲＦＩＤタグの取り付けを工夫したＲＦＩＤタグの取付方法及び取付構造、さらにはアンテナ感度の向上が可能なアンテナ構造体及びＲＦＩＤタグ付き装置に関する。
【背景技術】
【０００２】
近年、ＲＦＩＤ技術を用いた無線通信システムが注目されている。この通信システムは一般に、各種データを記憶可能なデータキャリアと、このデータキャリアに対して非接触で情報の読み書き（リード／ライト）を行なうリーダライタとで構成される。データキャリアは、その形状や大きさ等に応じてＲＦＩＤタグ（無線ＩＣタグ）、非接触ＩＣカード等と呼ばれるが、ここでは、カード形状のものも含めてＲＦＩＤタグと呼ぶことにする。このＲＦＩＤタグに利用される無線周波数帯としては、１３５ｋＨｚ以下の帯域、１３．５６ＭＨｚ帯、及び２．４５ＧＨｚ帯等がある。このＲＦＩＤタグは、小さなものは物品管理用に、カード形状のものは交通機関の自動改札機等、各種入退出管理に利用されている。またその他にも、電子マネー等への応用も検討されている。
【０００３】
これら、ＲＦＩＤタグのうち、１３．５６ＭＨｚ帯を用いるものについては、アンテナ部として平面状のループアンテナが内蔵されており、リーダライタのアンテナが発する電磁波を介して、電磁誘導によりＲＦＩＤタグに電力が供給され、データのリード／ライトが行なわれる。
【０００４】
ところで、平面状のループアンテナを持つＲＦＩＤタグを金属のような良導体物品に直接取り付けた場合、良導体物品に発生する渦電流の影響により通信品質が低下する（通信距離が短くなる）あるいは通信不能となる問題があった。
【０００５】
この対策として、下記特許文献１では、ＲＦＩＤタグにおいて、アンテナ部と物品との間に軟磁性部材を挿入することにより、ＲＦＩＤタグのアンテナ特性を改善することが提案されている。
【０００６】
【特許文献１】特開２００２−２９０１３１号公報  この特許文献１に記載の発明では、挿入する軟磁性部材の透磁率と厚さの積が高いのが望ましいとされている。しかし、透磁率の高い軟磁性部材は非常に高価であり、また透磁率の低い軟磁性部材では厚さを厚くする必要があり、実際に使用を考慮した場合、ＲＦＩＤタグの価格、厚さに制限が生じてしまう。
【０００７】
また、良導体物品に対して上記のようにアンテナ部と物品との間に軟磁性部材を挿入して金属対応タグを装着した場合であっても、通常タイプのＲＦＩＤタグを非導電性の物品に装着したときと比較して通信品質が２〜３割低下するとした報告が下記非特許文献１に記載されている。
【０００８】
【非特許文献１】「日経バイト」２００４年６月号（日本経済新聞社発行）
【０００９】
図８は一般的なＲＦＩＤタグの物品への取付方法を示す。この場合、ＲＦＩＤタグ１は、管理対象の物品１０に関する情報が記憶されるＩＣチップ２と、リーダライタとの間で電磁波の送受信を行うためのアンテナ部としてのループアンテナ３とを備えており、ループアンテナ３はＩＣチップ２に電気的に接続されている。そして、ＲＦＩＤタグ１は物品１０の一面の例えば中央部分に貼り付けられている。
【００１０】
上記一般的なＲＦＩＤタグの物品への取付方法では、ＲＦＩＤタグ１のアンテナ部の背面は物品１０で覆われているため、物品１０が導体の場合には、物品に渦電流が発生し、アンテナ部内への磁束の通過を妨げるため、アンテナ部単体では通信が不能となる。その場合には、前述したようにアンテナ部と物品との間に軟磁性部材を挿入する必要がある。
【発明の開示】
【発明が解決しようとする課題】
【００１１】
そこで、本発明は、物品が導体であるか否かにかかわらず、良好な通信品質を確保できるＲＦＩＤタグの取付方法及び取付構造を提供することを目的とする。
【００１２】
また、本発明は、リーダライタからの送信電磁波による磁界が導体の角部又は縁部でかえって強まる現象を利用してアンテナ感度の向上を図ることのできるアンテナ構造体及びＲＦＩＤタグ付き装置を提供することをもう一つの目的とする。
【００１３】
本発明のその他の目的や新規な特徴は後述の実施の形態において明らかにする。
【課題を解決するための手段】
【００１４】
上記目的を達成するために、本発明に係るＲＦＩＤタグの取付方法は、ＲＦＩＤタグを物品に取り付ける場合に、前記ＲＦＩＤタグのアンテナ部の少なくとも一部を物品からずらして又は離間させて装着したことを特徴としている。
【００１５】
前記ＲＦＩＤタグの取付方法において、前記物品が導体部分を有している場合に、前記導体部分の角部又は縁部に前記アンテナ部を近接又は少なくとも一部がはみ出すように配置するとよい。
【００１６】
前記ＲＦＩＤタグの取付方法において、前記ＲＦＩＤタグはアンテナ部としてループアンテナを有するものであるとよい。
【００１７】
前記ＲＦＩＤタグの取付方法において、前記ループアンテナの内側に軟磁性体が設けられているとよい。
【００１８】
本発明に係るＲＦＩＤタグの取付構造は、ＲＦＩＤタグのアンテナ部の少なくとも一部を物品からずらした状態又は離間した状態で、前記ＲＦＩＤタグが前記物品に装着されていることを特徴としている。
【００１９】
前記ＲＦＩＤタグの取付構造において、前記物品が導体部分を有している場合に、前記導体部分の角部又は縁部に前記アンテナ部を近接又は少なくとも一部がはみ出すように配置するとよい。
【００２０】
前記ＲＦＩＤタグの取付構造において、前記ＲＦＩＤタグはアンテナ部としてループアンテナを有するものであるとよい。
【００２１】
前記ＲＦＩＤタグの取付構造において、前記ループアンテナの内側に軟磁性体が設けられているとよい。
【００２２】
前記ＲＦＩＤタグの取付構造において、前記物品が導体部分を有し、該導体部分の角部又は縁部に前記アンテナ部が近接又は少なくとも一部がはみ出すように配置されているとよい。
【００２３】
本発明に係るアンテナ構造体は、導体と該導体の外縁から少なくとも一部がはみ出すように形成されたループアンテナとを備え、前記ループアンテナは前記導体から絶縁されかつ前記導体の外縁に近接した部分を有することを特徴としている。
【００２４】
前記アンテナ構造体において、前記ループアンテナの内側に軟磁性体が設けられているとよい。
【００２５】
前記ＲＦＩＤタグの取付方法において、前記アンテナ構造体をアンテナ部としたＲＦＩＤタグを用いる構成としてもよい。
【００２６】
前記ＲＦＩＤタグの取付構造において、前記アンテナ構造体をアンテナ部としたＲＦＩＤタグを用いる構成としてもよい。
【００２７】
本発明に係るＲＦＩＤタグ付き装置は、前記アンテナ構造体をアンテナ部としたＲＦＩＤタグを備えることを特徴としている。
【発明の効果】
【００２８】
本発明に係るＲＦＩＤタグの取付方法及び取付構造によれば、ＲＦＩＤタグを物品に取り付ける場合に、前記ＲＦＩＤタグのアンテナ部の少なくとも一部を物品からずらして又は離間させて装着するので、物品が導体であるか否かにかかわらず、アンテナ部内を磁束が通過でき、良好な通信品質（リーダライタ間の所望通信距離）を確保でき、通信不良の発生を回避できる。
【００２９】
また、前記物品が導体部分を有する場合には、前記導体部分の角部又は縁部に前記アンテナ部を近接又は少なくとも一部がはみ出すように配置することで、前記導体部分の表面に発生する渦電流による磁束がさらに前記アンテナ部内を通過する磁束を強めるため、アンテナ感度を上げて通信品質向上を図ることができる。
【００３０】
本発明に係るアンテナ構造体によれば、導体と該導体の外縁から少なくとも一部がはみ出すように形成されたループアンテナとを備えていて、前記ループアンテナが前記導体から絶縁されかつ前記導体の外縁に近接した部分を有する構成としたので、前記導体表面に発生する渦電流による磁束がさらに前記ループアンテナ内を通過する磁束を強めることになり、アンテナ感度を向上させることが可能となる。
【００３１】
本発明に係るアンテナ構造体を用いたＲＦＩＤタグの取付方法及び取付構造によれば、ＲＦＩＤタグを物品に取り付ける場合に、前記ＲＦＩＤタグのアンテナ部の少なくとも一部を物品からずらして又は離間させて装着するので、物品が導体であるか否かにかかわらず、アンテナ部内を磁束が通過でき、良好な通信品質（リーダライタ間の所望通信距離）を確保でき、通信不良の発生を回避できる。さらには、前記アンテナ構造体の導体表面に発生する渦電流による磁束がさらに前記アンテナ構造体のループアンテナ内を通過する磁束を強めることになり、アンテナ感度を向上させることが可能となる。
【００３２】
本発明に係るＲＦＩＤタグ付き装置によれは、前記アンテナ構造体をアンテナ部としたＲＦＩＤタグを備えるので、アンテナ感度の向上によって良好な通信品質（リーダライタ間の所望通信距離）を確保可能である。
【発明を実施するための最良の形態】
【００３３】
以下、本発明を実施するための最良の形態として、ＲＦＩＤタグの取付方法、取付構造、アンテナ構造体及びＲＦＩＤタグ付き装置の実施の形態を図面に従って説明する。
【００３４】
図１は本発明の実施の形態１であって、ＲＦＩＤタグの取付方法及び取付構造を示す。この図において、ＲＦＩＤタグ１は、管理対象の物品１０に関する情報が記憶されるＩＣチップ２と、リーダライタとの間で電磁波の送受信を行うためのアンテナ部としてのループアンテナ３とを備えており、ループアンテナ３はＩＣチップ２に電気的に接続されている。そして、ＲＦＩＤタグ１は、そのループアンテナ３の部分を物品１０からずらした状態又は離間した状態で、物品１０に装着されている（例えば貼り付けられている）。
【００３５】
この場合、アンテナ部としてのループアンテナ３の背面に物品１０が位置しない状態としてＲＦＩＤタグ１を物品１０に取り付けているため、物品１０が導体であってもループアンテナ３内に磁束が通過できるため、通信が可能となる。
【００３６】
とくに、物品１０が図示のように直方体状、あるいは板状の形状をなす良導体の場合等において、該良導体部分の角部又は縁部に電磁界が集中するため、その角部又は縁部にループアンテナ３が近接する又は少なくとも一部がはみ出すように（またがるように）配置されていることが好ましいことを本発明者は見いだした。
【００３７】
この理由を図６の電磁界シミュレーション（ＦＤＴＤ法）ならびに図９の実機での検討結果により説明する。
【００３８】
［シミュレーション検討結果］
シミュレーションモデルを図６（Ａ）に示す。シミュレーションのモデルは１３．５６ＭＨｚで通信を行なう場合のシステムを想定しており、リーダライタを想定した１ターンコイルより距離４０ｍｍ離れて対向配置された物品に向けて磁界を放射している。
解析空間：１８０ｍｍ×１８０ｍｍ×１６０ｍｍ
リーダライタ入力電力：１Ｗ
リーダライタコイル寸法：１２０ｍｍ×１２０ｍｍ
物品（完全導体で構成）：短辺５０ｍｍ×長辺６０ｍｍ×厚み１０ｍｍ
【００３９】
シミュレーション結果を図６（Ｂ）及び図７（Ａ）,（Ｂ）に示す。図６（Ｂ）は物品近傍の磁界強度分布を示しており、色が濃いほど、磁界が強いことを表している。また、図７（Ａ）は物品（完全導体）表面の手前０．７ｍｍで物品短辺（５０ｍｍ）の中心を０とした左右方向の位置ｘに対応する磁界強度Ｈｚ（物品面に対して垂直な方向成分）を示し、同図（Ｂ）は物品（完全導体）表面から後方３ｍｍにおける位置ｘに対応する磁界強度Ｈｚを示す。なお、図７（Ａ）,（Ｂ）では比較のために導体が存在しないときの磁界強度Ｈｚも併せて示している。
【００４０】
これらの図より、物品１０が導体であるときの角部周辺の磁界が強いことが確認され、この付近にアンテナ部としてのループアンテナ３を配置することにより、感度良く通信を行なえることが分かる。また、図７（Ａ）,（Ｂ）の完全導体である物品があるときと導体が無いときの対比から、導体が無いときよりも導体の存在する方が、導体角部（縁部）近傍の磁界強度は大きくなっており、この現象を利用することで導体が無いときよりもアンテナ感度を向上させ得ることが分かる。
【００４１】
［実機での検討結果］
周波数１３．５６ＭＨｚで通信を行うシステムにおいて、読み取り可能なリーダライタ−ＲＦＩＤタグ間の距離を図９に示す装置で測定した。ＲＦＩＤタグとしては、ＲＦＩＤタグ単体の場合と、図９に示すようにアルミ板をＲＦＩＤタグの側面に取り付けた構造のもので評価を行った。
【００４２】
評価結果を図１０に示す。ＲＦＩＤタグ単体では、読み取り可能距離は６６ｍｍであったが、アルミ板をＲＦＩＤタグの側面に取り付けることにより、読み取り可能距離が約１０％増加し、受信感度の向上が図れることが分かる。
【００４３】
なお、図１のようにＲＦＩＤタグ１を物品１０に取り付けるに当たっては、ＲＦＩＤタグ１に自立性を持たせるために、剛性を有する誘電体板で補強することが望ましい。誘電体板としては材質並びに厚さは特に限定されないが、アクリル板、ポリカーボネート板等の各種プラスチック板が好ましい。
【００４４】
図２は本発明の実施の形態２であって、ＲＦＩＤタグの取付方法及び取付構造を示す。この図において、ＲＦＩＤタグ１のアンテナ部としてのループアンテナ３の一部を物品１０からずらした状態又は離間した状態で、当該ＲＦＩＤタグ１は物品１０に装着されている。
【００４５】
この場合、物品１０は金属等の良導体であっても、それ以外の材質であってもよいが、物品１０が直方体状あるいは板状の良導体の場合、本実施の形態では該良導体部分の角部又は縁部に対して少なくとも一部がはみ出すようにループアンテナ３が配置されることになる。
【００４６】
なお、その他の構成は前述の実施の形態１と同様である。
【００４７】
この実施の形態１，２によれば、次の通りの効果を得ることができる。
【００４８】
(1)  ＲＦＩＤタグ１を物品１０に取り付ける場合に、ＲＦＩＤタグ１のアンテナ部としてのループアンテナ３の少なくとも一部を物品からずらして又は離間させて装着するので、物品１０が導体であるか否かにかかわらず、ループアンテナ３内を磁束が通過でき、良好な通信品質（リーダライタ間の所望通信距離）を確保でき、通信不良の発生を回避できる。
【００４９】
(2)  物品１０が導体部分を有する場合には、前記導体部分の角部又は縁部にアンテナ部としてのループアンテナ３を近接又は少なくとも一部がはみ出すように配置することで、前記導体部分の表面に発生する渦電流による磁束がさらにループアンテナ３内を通過する磁束を強めるため、アンテナ感度を上げて通信品質向上を図ることができる。このことは図６及び図７で述べたシミュレーションの検討結果によって明らかである。
【００５０】
(3)  この実施の形態１，２の構成は、とくにアンテナ部としてループアンテナを用いてリーダライタとの通信をＭＨｚ帯（とくに数ＭＨｚ〜数１０ＭＨｚ）で行う場合にとくに有効である。
【００５１】
なお、実施の形態１，２において、ＲＦＩＤタグ１のアンテナ部としてのループアンテナ３の内側に軟磁性体を設置することにより、ループアンテナ３内を通過する磁束を増加させ、受信感度をより向上させることが可能となる。軟磁性体については、透磁率が高く、かつ磁気損失の低いものが好ましく、フェライト粉等の磁性粉と結合材（ポリマー）からなる複合磁性体等が使用される。
【００５２】
前記軟磁性体をループアンテナ３の内側に設置するにあたっては特に限定されず、例えば図１１（Ａ）〜（Ｆ）のような構成から適宜選択すればよい。図１１（Ａ）及び（Ｄ）は軟磁性体がループアンテナの内側だけでなく、表側半分及び裏側半分を交互に覆っている構成であり、図１１（Ｂ）,（Ｃ）,（Ｅ）,（Ｆ）はループアンテナ３の内側を貫通するように、もしくは内側領域のみに軟磁性体が配置されている例である。なお、リーダライタは図示の場合の反対側（アンテナ下側）に配置しても通信が可能である。
【００５３】
図３（Ａ）,（Ｂ）,（Ｃ）は本発明の実施の形態３であって、ＲＦＩＤタグ用アンテナ構造体を示す。この図において、絶縁基板２０の主面にループアンテナ２３が導体パターン等で形成され、前記主面の反対面に導体板（箔、膜状のものも含む）２５が設けられている。この場合、ループアンテナ２３の配置は、導体板２５からずれた状態又は離間した状態で、導体板２５の外側位置（導体板に重ならない位置）となっていて、かつループアンテナ２３の一部分が導体板２５の縁部に近接している。
【００５４】
このようなアンテナ構造体をＲＦＩＤタグのアンテナ部として使用することで、図６及び図７で述べたシミュレーションの検討結果から明らかなように、導体板２５表面に発生する渦電流による磁束がさらにループアンテナ２３内を通過する磁束を強めることになり、アンテナ感度を向上させることが可能となる。
【００５５】
前記導体板２５の材質は、特に限定されないが、導電性の高いものの方が導体板端部の磁界を強めることができるので、銅やアルミニウム等の導電性の高い金属材質が好ましい。
【００５６】
前記ループアンテナ２３の具体的な構成についても特に限定されるものではなく、ガラスエポキシ基板に導体パターンを形成した基板状のものの他に、ポリイミドフィルムに導体パターンを形成したフィルム状のもの、銅線をループ状に形成したもの等が使用可能である。また、ループアンテナ２３のループ面積や巻き数は、ＲＦＩＤタグを構成するのに使用されるＩＣチップやコンデンサ（ループアンテナと共に共振回路を構成する）並びに前記導体板２５の材質や設置位置関係を基に適宜調整すればよい。
【００５７】
なお、実施の形態３において、ループアンテナ２３の内側に軟磁性体２６を設置することにより、ループアンテナ２３内を通過する磁束を増加させ、受信感度をより向上させる構成としてもよい。
【００５８】
前記軟磁性体をループアンテナ２３の内側に設置するにあたっては特に限定されず、例えば図１１（Ａ）〜（Ｆ）のような構成から適宜選択すればよい。図１１（Ａ）及び（Ｄ）は軟磁性体がループアンテナの内側だけでなく、表側半分及び裏側半分を交互に覆っている構成であり、図１１（Ｂ）,（Ｃ）,（Ｅ）,（Ｆ）はループアンテナ３の内側を貫通するように、もしくは内側領域のみに軟磁性体が配置されている例である。なお、リーダライタは図示の場合の反対側（アンテナ下側）に配置しても通信が可能である。
【００５９】
図４は本発明の実施の形態４であって、ＲＦＩＤタグ用アンテナ構造体を示す。この図において、絶縁基板２０の主面にループアンテナ２３が導体パターン等で形成され、前記主面の反対面に導体板２５が設けられている。この場合、ループアンテナ２３の配置は、その一部が導体板２５に重ならないでずれた状態で、かつ導体板２５の縁部をまたいでいる。ループアンテナ２３が導体板２５の縁部をまたいでいるため、必然的に導体板２５の縁部に近接したループアンテナ２３の部分が構成される。なお、その他の構成は前述の実施の形態３と同様である。
【００６０】
この場合も、実施の形態３と同様に導体板２５表面に発生する渦電流による磁束がさらにループアンテナ２３内を通過する磁束を強めることになり、アンテナ感度を向上させることが可能となる。
【００６１】
なお、図３及び図４の実施の形態３，４において、絶縁基板２０上に管理対象の物品に関する情報が記憶されるＩＣチップを搭載してループアンテナ２３に電気的に接続することで、アンテナ感度を向上させたＲＦＩＤタグを構成できる。
【００６２】
図５は本発明の実施の形態５であって、ＲＦＩＤタグ付き装置（携帯電話の例）を示す。この場合、携帯電話本体３０に、図３に示したアンテナ構造体と同様の構成となるようにアンテナ部としてのループアンテナ２３を基板２０の主面に設けている。基板２０は例えば携帯電話本体３０内の基板と共通でよく、携帯電話本体３０の外装ケースの導体部分３１が図３のアンテナ構造体の導体板２５に相当する機能を果たす。図示は省略するが、各種情報が記憶されるＩＣチップが携帯電話本体３０内に設けられてループアンテナ２３に電気的に接続されていて、ＲＦＩＤタグの機能を備えるようにしている。なお、ループアンテナ２３の内側に図３と同様に軟磁性体を設けてもよい。
【００６３】
この実施の形態５のＲＦＩＤタグ付き装置では、携帯電話本体３０の外装ケースからアンテナ部となるループアンテナ２３が出ているため、リーダライタに対して携帯電話本体３０の表側（ディスプレイ配置面又はそれを覆う蓋側）を向けても、裏側を向けても良く、携帯電話本体３０の表裏を気にしないでリーダライタとの間で通信可能な利点がある。
【００６４】
なお、上記各実施の形態におけるＲＦＩＤタグが、さらにリーダライタ機能を備える構成であってもよい。
【００６５】
以上本発明の実施の形態について説明してきたが、本発明はこれに限定されることなく請求項の記載の範囲内において各種の変形、変更が可能なことは当業者には自明であろう。
【図面の簡単な説明】
【００６６】
【図１】本発明の実施の形態１であって、ＲＦＩＤタグの取付方法及び取付構造を示す斜視図である。
【図２】本発明の実施の形態２であって、ＲＦＩＤタグの取付方法及び取付構造を示す斜視図である。
【図３】本発明の実施の形態３であって、（Ａ）はアンテナ構造体の斜視図、（Ｂ）は同平面図、（Ｃ）は同正面図である。
【図４】本発明の実施の形態４であって、アンテナ構造体の斜視図である。
【図５】本発明の実施の形態５であって、ＲＦＩＤタグ付き装置を示す斜視図である。
【図６】リーダライタのコイルに対して物品（完全導体）が対向しているときのシミュレーションであって、（Ａ）はシミュレーションモデルの説明図、（Ｂ）はシミュレーション結果の磁界強度分布図である。
【図７】前記シミュレーションにおいて、（Ａ）は物品（完全導体）表面の手前０．７ｍｍでの物品短辺（５０ｍｍ）の中心を０とした左右方向の位置ｘに対応する磁界強度Ｈｚ（物品面に対する垂直方向成分）のグラフ、（Ｂ）は物品（完全導体）表面から後方３ｍｍでの物品短辺の中心を０とした左右方向の位置ｘに対応する磁界強度Ｈｚのグラフである。
【図８】一般的なＲＦＩＤタグの取付方法を示す斜視図である。
【図９】本発明の効果について、実機での検討を行った装置を表す斜視図である。
【図１０】図９の実機での検討結果を表す受信可能距離の測定グラフである。
【図１１】本発明のループアンテナ内への軟磁性体の設置例を示す概略断面図である。
【符号の説明】
【００６７】
１  ＲＦＩＤタグ
２  ＩＣチップ
３，２３  ループアンテナ
１０  物品
２０  絶縁基板
２５  導体板
２６  軟磁性体
３０  携帯電話本体
３１  導体部分
【図１】
2006129003.tif 000003
【図２】
2006129003.tif 000004
【図３】
2006129003.tif 000005
【図４】
2006129003.tif 000006
【図５】
2006129003.tif 000007
【図７】
2006129003.tif 000008
【図８】
2006129003.tif 000009
【図９】
2006129003.tif 000010
【図１０】
2006129003.tif 000011
【図１１】
2006129003.tif 000012
【図６】
2006129003.tif 000013